(57)【要約】【課題】  トイレブースを構成するドアパネルや正面パネルとして用いられ、とりわけメラミン樹脂化粧板等の熱硬化性樹脂化粧板が被覆されたトイレブース用化粧パネルに於て、熱硬化性樹脂化粧板を用いる事ができると共に、それでいてプライバシーを確保する目隠し機能とドア開閉時の危険防止とを発揮できる様にする。【解決手段】  芯材２と二枚の化粧板３，４とで構成し、とりわけ、芯材２は、突起７と凸曲面８と凹曲面９とを備え、一方の化粧板３は、平面部１０と凸曲面部１１と凹曲面部１２と延出部１３とを備え、他方の化粧板４は、平面部１５と延長部１６とを備えている。【選択図】        図２
2008207420.tif 000002
【特許請求の範囲】
【請求項１】
芯材と、芯材の表裏面に接着される二枚の化粧板とを備えたトイレブース用化粧パネルに於て、芯材は、表裏面のうちの一面の一隅から延長して形成された突起と、表裏面のうちの突起とは反対側の面から端面に亘って形成された凸曲面と、端面から突起に亘って形成された凹曲面とを備えて居り、一方の化粧板は、芯材の表裏面のうちの突起とは反対側の面に接着される平面部と、芯材の凸曲面に接着される凸曲面部と、芯材の凹曲面に接着される凹曲面部と、芯材の突起から延出する延出部とを備えて居り、他方の化粧板は、芯材の表裏面のうちの突起側の面に接着される平面部と、芯材の突起から延出して一方の化粧板の延出部に重合されて接着される延長部とを備えている事を特徴とするトイレブース用化粧パネル。
【請求項２】
一方の化粧板の延出部と他方の化粧板の延長部との角部は、曲面に形成されている請求項１に記載のトイレブース用化粧パネル。
【発明の詳細な説明】
【技術分野】
【０００１】
本発明は、トイレブースを構成するドアパネルや正面パネルとして用いられ、とりわけメラミン樹脂化粧板等の熱硬化性樹脂化粧板が被覆されたトイレブース用化粧パネルの改良に関する。
【背景技術】
【０００２】
従来、この種のトイレブース用化粧パネルは、ドアパネルと正面パネルの突合せ端面を斜状や弧状等にする事に依り、外側から内部が見えない様にしてプライバシーを確保する目隠し機能と、ドア開閉時の指詰め等を回避する危険防止機能とを備えて居り、次の様なものが知られている。
（１）  芯材の表裏面に化粧板を接着したもの（特許文献１参照）。
（２）  芯材の表裏面に化粧板を接着すると共に、端面にエッジ材を付設したもの（特許文献２〜６参照）。
【０００３】
然しながら、前者のものは、芯材の端面が化粧板で覆われていないので、見栄えが悪いと共に、耐水性や耐薬品性が充分ではなかった。他方、後者のものは、エッジ材を別途用意してこれを付着せねばならなかったので、部品点数が多くなってコストが高く付くばかりでなく、組立てが煩雑であった。
【０００４】
ところで、化粧パネルとしては、一隅に曲面を形成した芯材に、メラミン樹脂化粧板等の熱硬化性樹脂化粧板を曲げ加工して接着する所謂ポストフォーム加工したものが知られている（特許文献７〜９）。
この様なものは、熱硬化性樹脂化粧板を用いているので、硬くて割れ易く、加工が難しいものの、表面が硬くて傷が付き難く、耐熱性等に優れている。
【０００５】
【特許文献１】特開平７−２８６３８９号公報
【特許文献２】特開平８−２１００３５号公報
【特許文献３】特開平１０−５４１８４号公報
【特許文献４】特開平１１−３３６４４１号公報
【特許文献５】特開２００２−１０６０９１号公報
【特許文献６】特許第２８０９５８０号公報
【特許文献７】特許第３３４３６０２号公報
【特許文献８】特開２０００−２３３４５９号公報
【特許文献９】特開２００４−３５８８７３号公報
【発明の開示】
【発明が解決しようとする課題】
【０００６】
然しながら、この様な化粧パネルは、トイレブース用化粧パネルのドアパネルと正面パネルの何れか一方には採用できるものの、両方には、採用できなかった。何故ならば、両方に採用した場合には、ドアパネルと正面パネルの突き合わせ端面間に直線状の隙間が形成されて外側から内部が見通せるからである。
従って、熱硬化性樹脂化粧板を用いる事ができると共に、それでいてプライバシーを確保する目隠し機能とドア開閉時の危険防止機能とを備えたものが要望されていた。
【０００７】
本発明は、叙上の問題点に鑑み、これを解消する為に創案されたもので、その課題とする処は、熱硬化性樹脂化粧板を用いる事ができると共に、それでいてプライバシーを確保する目隠し機能とドア開閉時の危険防止とを発揮できるトイレブース用化粧パネルを提供するにある。
【課題を解決するための手段】
【０００８】
本発明のトイレブース用化粧パネルは、基本的には、芯材と、芯材の表裏面に接着される二枚の化粧板とを備えたトイレブース用化粧パネルに於て、芯材は、表裏面のうちの一面の一隅から延長して形成された突起と、表裏面のうちの突起とは反対側の面から端面に亘って形成された凸曲面と、端面から突起に亘って形成された凹曲面とを備えて居り、一方の化粧板は、芯材の表裏面のうちの突起とは反対側の面に接着される平面部と、芯材の凸曲面に接着される凸曲面部と、芯材の凹曲面に接着される凹曲面部と、芯材の突起から延出する延出部とを備えて居り、他方の化粧板は、芯材の表裏面のうちの突起側の面に接着される平面部と、芯材の突起から延出して一方の化粧板の延出部に重合されて接着される延長部とを備えている事に特徴が存する。
【０００９】
一方の化粧板は、凸曲面部と凹曲面部とから成る二次曲面状（略Ｓ字状）に彎曲されると共に、他方の化粧板は、平面状のままにされ、両化粧板の延出部と延長部は、重合されて接着される様にしたので、二枚の化粧板に依り芯材の表裏面は元より端面をも含めて全ての面を覆う事ができる。この為、見栄えが良くなると共に、耐水性や耐薬品性も向上させる事ができる。
芯材の突起と両化粧板の重合部分である延出部及び延長部は、トイレブース用化粧パネルの突部を為しているので、これに依りドアパネルと正面パネルの突合せ端面間には、視線を遮る隙間を形成する事ができる。この為、当該隙間を通して外側から内部が見える惧れがなくなり、プライバシーを確保する事ができる。
一方の化粧板は、凸曲面部と凹曲面部とから成る二次曲面状に彎曲されているので、ドア開閉時の指詰め等を回避する事ができる。
【００１０】
一方の化粧板の延出部と他方の化粧板の延長部との角部は、曲面に形成されているのが好ましい。この様にすれば、角部に依り怪我をする心配がなくなり、安全性が向上する。
【発明の効果】
【００１１】
本発明によれば、次の様な優れた効果を奏することができる。
（１）  芯材と二枚の化粧板とで構成し、とりわけ、芯材は、突起と凸曲面と凹曲面とを備え、一方の化粧板は、平面部と凸曲面部と凹曲面部と延出部とを備え、他方の化粧板は、平面部と延長部とを備えているので、熱硬化性樹脂化粧板を用いる事ができると共に、それでいてプライバシーを確保する目隠し機能とドア開閉時の危険防止とを発揮できる。
【発明を実施するための最良の形態】
【００１２】
以下、本発明の実施形態を図面に基づいて説明する。
図１は、本発明のトイレブース用化粧パネルを用いたトイレブースを示す横断平面図。図２は、図１の要部拡大図。図３は、芯材のみを示す図２と同様図である。
本発明のトイレブース用化粧パネル１は、芯材２と、二枚の化粧板３，４とからその主要部が構成されて居り、トイレブース５０を構成する正面パネル５１に適用している。
【００１３】
トイレブース５０は、正面パネル５１とドアパネル５２と仕切りパネル５３等で構成されている。
ドアパネル５２は、芯材５４と二枚の化粧板５５，５６とから構成されて居り、芯材５４は、表裏面５７と、端面５８と、一隅に形成された凸曲面５９とを備えている。一方の化粧板５５は、芯材５４の表裏面５７のうちの他方に接着される平面部６０を備えている。他方の化粧板５６は、芯材５４の表裏面５７のうちの一方に接着される平面部６１と、芯材５４の凸曲面５９に接着される凸曲面部６２と、芯材５４の端面５８に接着される平端面部６３とを備えている。
而して、この様なドアパネル５２は、例えば特許文献７に基づいて作製される。
【００１４】
芯材２は、トイレブース用化粧パネル１の基本部分を為すもので、この例では、表裏面５と端面６とを備えていると共に、表裏面５のうちの一面の一隅から延長して形成された突起７と、表裏面５のうちの突起７とは反対側の面から端面６に亘って形成された凸曲面８と、端面６から突起７に亘って形成された凹曲面９とを備えている。
芯材２としては、切削が容易な木質材料、例えば木質単板、木質合板、中質繊維板（ＭＤＦ）、パーティクルボード等が用いられる。
【００１５】
一方の化粧板３は、芯材２の表裏面５のうちの突起７とは反対側の面に接着される平面部１０と、芯材２の凸曲面８に接着される凸曲面部１１と、芯材２の凹曲面９に接着される凹曲面部１２と、芯材２の突起７から延出する延出部１３とを備えている。この例では、凸曲面部１１と凹曲面部１２との間には、芯材２の端面６に接着される連結平面部１３を備えている。
【００１６】
他方の化粧板４は、芯材２の表裏面５のうちの突起７側の面に接着される平面部１５と、芯材２の突起７から延出して一方の化粧板３の延出部１３に重合されて接着される延長部１６とを備えている。
【００１７】
化粧板３，４としては、メラミン樹脂化粧板やポリエステル樹脂化粧板等の熱硬化性樹脂化粧板が用いられて居り、この例では、厚さが０．８ｍｍのメラミン樹脂化粧板にしてある。
化粧板３の延出部１３と化粧板４の延長部１６との重ね代Ａは、５〜１０ｍｍが好ましく、この例では、８ｍｍにしてある。
【００１８】
芯材２と各化粧板３，４との間、並びに両化粧板３，４間は、周知の接着剤を用いて接着される。接着剤としては、水性ビニールウレタン系接着剤、ウレタン系接着剤、ユリア系接着剤、酢酸ビニール系接着剤、エポキシ系接着剤、合成ゴム系接着剤等がある。
【００１９】
トイレブース用化粧パネル１は、例えば次の様にして製造される。
先ず、化粧板４は、延長部１６が芯材２の突起７から所定距離だけ突出された状態で、平面部１５が芯材２の表裏面のうちの突起７側の面に接着される。次いで、化粧板３は、凸曲面部１１と連結平面部１４と凹曲面部１２と延出部１３に相当する部分が芯材２の端面６から突出された状態で、平板部８が芯材２の表裏面のうちの突起７とは反対側の面に接着される。そして、化粧板３の突出部分は、ヒータで約１７０〜１８０℃に加熱されながら、ピンチローラで約５〜６ｋｇ／ｃｍ2 の加圧力に依り曲げ加工が行われ、化粧板３の凸曲面部１１が芯材２の凸曲面８に、化粧板３の連結平面部１４が芯材２の端面６に、化粧板３の凹曲面部１２が芯材２の凹曲面９に夫々接着されると共に、化粧板３の延出部１３が化粧板４の延長部１６に重合されて接着される。その後、延出部１３と延長部１６の重合部分の角部が曲面状に面取りされる。
【００２０】
化粧板３は、凸曲面部１１と凹曲面部１２とから成る二次曲面状（略Ｓ字状）に彎曲されると共に、化粧板４は、平面状のままにされ、両化粧板３，４の延出部１３と延長部１６は、重合されて接着される様にしたので、二枚の化粧板３，４に依り芯材２の表裏面５は元より端面６をも含めて全ての面を覆う事ができる。この為、見栄えが良くなると共に、耐水性や耐薬品性も向上させる事ができる。
【００２１】
芯材２の突起７と両化粧板３，４の重合部分である延出部１３及び延長部１６は、トイレブース用化粧パネル１の突部を為しているので、これに依りドアパネルと正面パネルの突合せ端面間には、視線を遮る隙間を形成する事ができる。この為、当該隙間を通して外側から内部が見える惧れがなくなり、プライバシーを確保する事ができる。
【００２２】
化粧板３は、凸曲面部１１と凹曲面部１２とから成る二次曲面状に彎曲されているので、ドア開閉時の指詰め等を回避する事ができる。
【００２３】
尚、トイレブース用化粧パネル１は、先の例では、正面パネルＢに適用したが、これに限らず、例えばドアパネルＤに適用しても良い。
芯材２は、先の例では、凸曲面８と凹曲面９との間に平面状の端面６を形成していたが、これに限らず、例えばこの端面６を割愛して凸曲面８と凹曲面９とを連続させても良い。この場合、一方の化粧板３も、凸曲面部１１と凹曲面部１２との間に形成した連結平面部１４を割愛して凸曲面部１１と凹曲面部１２とを連続させるのが望ましい。
【図面の簡単な説明】
【００２４】
【図１】本発明のトイレブース用化粧パネルを用いたトイレブースを示す横断平面図。
【図２】図１の要部拡大図。
【図３】芯材のみを示す図２と同様図。
【符号の説明】
【００２５】
１…トイレブース用化粧パネル、２…芯材、３…化粧板、４…化粧板、５…表裏面、６…端面、７…突起、８…凸曲面、９…凹曲面、１０…平面部、１１…凸曲面部、１２…凹曲面部、１３…延出部、１４…連結平面部、１５…平面部、１６…延長部、Ａ…トイレブース、５０…トイレブース、５１…正面パネル、５２…ドアパネル、５３…仕切りパネル、５４…芯材、５５…化粧板、５６…化粧板、５７…表裏面、５８…端面、５９…凸曲面、６０…平面部、６１…平面部、６２…凸曲面部、６３…平端面部、Ａ…重ね代。
【図１】
2008207420.tif 000003
【図２】
2008207420.tif 000004
【図３】
2008207420.tif 000005